(57)【特許請求の範囲】
【請求項１】
シンクステーションと加熱ステーションとが間隔をおいて備えられると共に、これらシンクステーションと加熱ステーションとの間に天板が備えられ、
該天板は、高さ位置を異にして複数段備えられ、
最上段の天板は固定で、該最上段の天板よりも下の段の天板が、手前側半部と奥画側半部とに分割され、更にそれらがシンクステーション側半部と加熱ステーション側半部とに分割されて、合計４つの分割天板で構成され、シンクステーション側の分割天板がシンクステーションの回りで水平方向に移動可能であると共に、加熱ステーション側の分割天板が加熱ステーションの回りを水平方向に移動可能で、これら分割天板がシンクステーションと加熱ステーションとの間の最上段の天板下から外方に移動することができるようになされていることを特徴とするキッチンの構造。
【請求項２】
シンクステーションと加熱ステーションとが間隔をおいて備えられると共に、これらシンクステーションと加熱ステーションとの間に天板が備えられ、
該天板は、高さ位置を異にして複数段備えられ、
最上段の天板を含むすべての天板がそれぞれ、手前側半部と奥画側半部とに分割され、更にそれらがシンクステーション側半部と加熱ステーション側半部とに分割されて、合計４つの分割天板で構成され、シンクステーション側の各段の分割天板がシンクステーションの回りで水平方向に相対移動可能であると共に、加熱ステーション側の各段の分割天板が加熱ステーションの回りを水平方向に相対移動可能で、これらすべての分割天板をシンクステーションと加熱ステーションとの間から外方に移動して、シンクステーションと加熱ステーションとの間から天板をなくした状態にすることができるようになされていることを特徴とするキッチンの構造。
【発明の詳細な説明】
【０００１】
【発明の属する技術分野】
本発明は、キッチンの構造に関する。
【０００２】
【従来の技術及び課題】
キッチン天面部の高さ位置は、キッチンでの作業の内容に応じて変えられるようになっているのが本当は望ましいが、一定不変で変えられない構造になっているキッチンが一般である。なかには、天面部の高さ位置を上下に変更させる機構を備えたキッチンも提案されているが、天面部を上下させる昇降機構などを備えているため、非常に高価である。
【０００３】
また、日常の家事を行う場合は、必要最小限度の機能を備えたコンパクトなキッチンの方がよいが、週末などに複数人数で大掛かりな調理を行おうとするような場合には、作業を行うキッチン天面部の面積が小さすぎて、それを行うことができないという問題もあった。
【０００４】
本発明は、上記のような従来の問題点に鑑み、作業内容に応じた適切な高さ位置にキッチン天面部を形成することができ、しかも、キッチン天面部を広くしたり狭くしたりすることができるキッチン構造を提供することを課題とする。
【０００５】
【課題を解決するための手段】
上記の課題は、シンクステーションと加熱ステーションとが間隔をおいて備えられ、天板が、これらシンクステーションと加熱ステーションとの間に、高さ位置を異にして複数段備えられ、各段の天板が、他の段の天板に対し、シンクステーション又は加熱ステーションの回りで水平方向に相対移動することができるようになっていることを特徴とするキッチンの構造によって解決される。
【０００６】
このキッチン構造では、いずれかの段の天板をキッチン天面部として使用することで、作業内容に応じた適切な高さ位置にキッチン天面部を形成することができる。
【０００７】
しかも、各段の天板を上下方向に重なり合うようにセットすることで、キッチン天面部の広さを狭くすることができる一方、各段の天板を水平方向にずらすことでキッチン天面部を広くすることができる。
【０００８】
特に、各段の天板をシンクステーションと加熱ステーションとの間に収納することができるようになっているから、そのように収納することで、通常のキッチンと変わらないコンパクトなキッチンにすることができる。
【０００９】
加えて、天板はシンクステーション又は加熱ステーションの回りを移動するようになされているから、各ステーションと天板との結び付きを保持することができる。
【００１０】
【発明の実施の形態】
次に、本発明の実施形態を図面に基づいて説明する。
【００１１】
図１乃至図４に示す第１実施形態のキッチン構造１において、２はシンクステーション、３は加熱ステーションである。シンクステーション２には水栓４が備えられ、加熱ステーション３にはコンロ５あるいは電磁調理器などが備えられ、加熱ステーション３の上方にはレンジフード６が備えられている。そして、シンクステーション２と加熱ステーション３との間に天板部１０が備えられている。
【００１２】
天板部１０は、高さ位置を異にして３段備えられている。図４に示すように、最上段に位置する天板７は１枚もので、シンクステーション２と加熱ステーション３との間に、移動できないように固定して設置されている。中段の天板８は、手前側半部と奥画側半部とに分割され、更にそれらが右側半部と左側半部とに分割されて、合計４つの分割天板８ａ，８ｂ，８ｃ，８ｄで構成されている。下段の天板９についても、中断の天板８と同様に、手前側半部と奥画側半部とに分割され、更にそれらが右側半部と左側半部とに分割されて、合計４つの分割天板９ａ，９ｂ，９ｃ，９ｄで構成されている。
【００１３】
そして、中段及び下段の分割天板８ａ，８ｂ，８ｃ，８ｄ，９ａ，９ｂ，９ｃ，９ｄのうち、シンクステーション２側の分割天板８ｂ，８ｄ，９ｂ，９ｄは、それらの高さ位置を維持しながら、それぞれ個別にシンクステーション２回りを水平方向に回転し、最上段の天板７の下方から外へと移動していくことができるようになっている。加熱ステーション３側の天板８ａ，８ｃ，９ａ，９ｃについても同様に、それらの高さ位置を維持しながら、それぞれ個別にシンクステーション２回りを水平方向に回転し、最上段の天板７の下方から外へと移動していくことができるようになっている。本実施形態では、各ステーション２，３は、平面視円形状をしており、その周面に沿うようにして天板がステーション回りを回転移動するようになされている。
【００１４】
なお、最上段の天板７は、上記のように固定であるが、中段、下段の天板８，９との関係において、それら８，９に対し相対的に水平移動するものとみることができるのいうまでもない。
【００１５】
上記のキッチン構造１では、日常の家事では、図２及び図３に示すように、中段、下段の天板８，９を最上段の天板７の下に隠してキッチン天面をコンパクトにして調理を行うことができる。また、調理の内容によって最上段の天板高さ位置よりも低い位置の方が調理を行いやすい場合は、図示しないが、中段あるいは下段のテーブルを最上段のテーブルの外に出し、そこで、その内容の調理を行うことができる。そしてまた、週末など、複数人数で調理を行う場合には、例えば図１に示すように、中段、下段の分割天板８ａ，９ｃ，８ｂ，９ｂを各ステーション２，３回りの都合の良い位置まで回転させ、キッチン天面部の広さを広くして複数人数で調理することができる。
【００１６】
図５乃至図７に示す第２実施形態のキッチン構造１は、最上段の天板７についても、中断、下段の天板８，９と同様に、手前側半部と奥画側半部とに分割され、更にそれらが右側半部と左側半部とに分割されて、合計４つの分割天板７ａ，７ｂ，７ｃ，７ｄで構成されている。この場合には、図５に示すように、最上段の分割天板７ａ，７ｂも含めて各ステーション２，３回りで回転させ、複数人数での調理に都合の良い、よりバラエティに富んだキッチン天面レイアウトを実現することができる。図示しないが、ステーション２，３間から天板をなくしたレイアウトにすることも可能である。
【００１７】
以上に、本発明の実施形態を示したが、本発明はこれに限られるものではなく、発明思想を逸脱しない範囲で各種の変更が可能である。例えば、上記の実施形態では、各ステーション２，３が平面視円形状をしており、その周面に沿うようにして天板が回転移動するようになされているが、各ステーションの平面視形状に特段の制限はなく各種形状をしていてよい。また、天板は、各ステーションの外周部に沿うようにして回転移動していくものでなくてもよく、要は、ステーションの回りで水平方向に移動できるようになってさえいればよい。また、各段に天板が１枚づつ備えられた構造であってもよく、その場合に、中段、下段の天板は、ステーション間の寸法より短く、かつ、いずれかのステーション側に偏って、その偏った側のステーション回りで移動するようになされていてもよい。また、天板の段数は３に限らず、２であってもよいし、４以上であってもよいことはいうまでもない。また、天板は、加熱ステーション回りでのみ回転等の移動をするものであってもよいし、シンクステーション回りでのみ回転等の移動をするものであってもよい。
【００１８】
【発明の効果】
本発明は、以上のとおりのものであるから、作業内容に応じた適切な高さ位置にキッチン天面部を形成することができ、しかも、キッチン天面部を広くしたり狭くしたりすることができる。
【図面の簡単な説明】
【図１】第１実施形態のキッチン構造の使用形態の一例を示す斜視図である。
【図２】同キッチン構造の他の使用形態を示す斜視図である。
【図３】図（イ）は同キッチン構造の平面図、図（ロ）は正面図である。
【図４】天板を分離状態にして示す斜視図である。
【図５】第２実施形態のキッチン構造の使用形態の一例を示す斜視図である。
【図６】同キッチン構造の他の使用形態を示す斜視図である。
【図７】図（イ）は同キッチン構造の平面図、図（ロ）は正面図である。
【符号の説明】
１…キッチン構造
２…シンクステーション
３…加熱ステーション
７…最上段の天板
８ａ〜８ｄ…中段の天板
９ａ〜９ｄ…下段の天板
【図１】
0004404378.tif 000002
【図２】
0004404378.tif 000003
【図３】
0004404378.tif 000004
【図４】
0004404378.tif 000005
【図５】
0004404378.tif 000006
【図６】
0004404378.tif 000007
【図７】
0004404378.tif 000008